【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
レシートを発行する記録装置、クーポンを発行するクーポンシステム、及び、バーコードを読み取ってバーコードデータを出力するバーコードリーダーに接続され、
前記記録装置を制御してレシートを発行させる記録制御部と、
前記バーコードリーダーが出力するバーコードデータに基づいて前記クーポンを発行するか否か判別し、前記クーポンを発行すると判別した場合、前記クーポンの発行に係るデータを前記クーポンシステムに出力するデータ監視部と、
を備えることを特徴とする制御装置。
【請求項２】
購入される商品に応じて設定されるクーポンの発行の条件を記憶する記憶部を備え、
前記データ監視部は、
前記バーコードリーダーが前記商品に応じて出力するバーコードデータに基づいて、前記条件を満たすか否かを判別し、前記条件を満たすと判別した場合、前記クーポンを発行すると判別して前記クーポンの発行に係るデータを前記クーポンシステムに出力することを特徴とする請求項１に記載の制御装置。
【請求項３】
前記条件は、購入される商品、及び、商品を購入する顧客に応じて設定され、
所定の媒体から顧客に係る情報を読み取る顧客情報読取装置に接続され、
前記データ監視部は、
前記バーコードリーダーが前記商品に応じて出力するバーコードデータ、及び、前記顧客情報読取装置によって読み取られた顧客に係る情報に基づいて、前記条件を満たすか否かを判別し、前記条件を満たす場合、前記クーポンを発行すると判別して前記クーポンの発行に係るデータを前記クーポンシステムに出力することを特徴とする請求項２に記載の制御装置。
【請求項４】
前記データ監視部は、
前記バーコードリーダーが前記商品に応じて出力するバーコードデータに基づいて、前記レシートに所定の広告を記録するか否かを判別し、前記レシートに当該所定の広告を記録すると判別した場合、当該所定の広告の記録に係るデータを、前記記録制御部に出力することを特徴とする請求項１ないし３のいずれかに記載の制御装置。
【請求項５】
前記クーポンの割引情報を読み取るクーポン読取装置に接続され、
前記データ監視部は、
前記バーコードリーダーが出力するバーコードデータに対応する商品が、前記クーポン読取装置によって読み取られた割引情報が示す割引の適用を受けるべきか否かを判別し、適用を受けるべきである場合、当該割引を反映した当該商品に係るデータを前記記録制御部に出力することを特徴とする請求項１ないし４のいずれかに記載の制御装置。
【請求項６】
前記データ監視部は、
前記クーポンシステムによる前記クーポンの発行の履歴に基づいて、前記クーポンの発行に伴って請求すべき対価の情報を生成することを特徴とする請求項１ないし５のいずれかに記載の制御装置。
【請求項７】
レシートを発行する記録装置、クーポンを発行するクーポンシステム、及び、バーコードを読み取ってバーコードデータを出力するバーコードリーダーに接続され、前記記録装置を制御してレシートを発行させる記録制御部を備える制御装置を制御して、
前記バーコードリーダーが出力するバーコードデータに基づいて前記クーポンを発行するか否か判別し、前記クーポンを発行すると判別した場合、前記クーポンの発行に係るデータを前記クーポンシステムに出力することを特徴とする制御装置の制御方法。
【請求項８】
レシートを発行する記録装置、クーポンを発行するクーポンシステム、及び、バーコードを読み取ってバーコードデータを出力するバーコードリーダーに接続された制御装置の各部を制御する制御部により実行されるプログラムであって、
前記制御部を、
前記記録装置を制御してレシートを発行させる記録制御部と、
前記バーコードリーダーが出力するバーコードデータに基づいて前記クーポンを発行するか否か判別し、前記クーポンを発行すると判別した場合、前記クーポンの発行に係るデータを前記クーポンシステムに出力するデータ監視部と、として機能させることを特徴とするプログラム。
【手続補正２】
【補正対象書類名】明細書
【補正対象項目名】０００６
【補正方法】変更
【補正の内容】
【０００６】
また、上記発明の制御装置であって、本発明は、購入される商品に応じて設定されるクーポンの発行の条件を記憶する記憶部を備え、前記データ監視部は、前記バーコードリーダーが前記商品に応じて出力するバーコードデータに基づいて、前記条件を満たすか否かを判別し、前記条件を満たすと判別した場合、前記クーポンを発行すると判別して前記クーポンの発行に係るデータを前記クーポンシステムに出力することを特徴とする。
ここで、購入される商品に応じた多様な条件でクーポンを発行することができれば、顧客満足度の向上を図ることができる。
そして、上記構成によれば、バーコードリーダーが出力する商品のバーコードに係るバーコードデータに基づいて、購入される商品に応じて設定されるクーポンの発行の条件を満たすか否かを判別し、当該条件を満たすと判別した場合、クーポンを発行すると判別してクーポンの発行に係るデータをクーポンシステムに出力するため、多様な条件でクーポンを発行することを可能とした上で、レシートと、クーポンとにおける内容の関連性の維持、発行タイミングに係るタイムラグの短縮化を図ることが可能となる。
【手続補正３】
【補正対象書類名】明細書
【補正対象項目名】０００７
【補正方法】変更
【補正の内容】
【０００７】
また、上記発明の制御装置であって、本発明は、前記条件は、購入される商品、及び、商品を購入する顧客に応じて設定され、所定の媒体から顧客に係る情報を読み取る顧客情報読取装置に接続され、前記データ監視部は、前記バーコードリーダーが前記商品に応じて出力するバーコードデータ、及び、前記顧客情報読取装置によって読み取られた顧客に係る情報に基づいて、前記条件を満たすか否かを判別し、前記条件を満たす場合、前記クーポンを発行すると判別して前記クーポンの発行に係るデータを前記クーポンシステムに出力することを特徴とする。
ここで、クーポンを発行する条件を、購入される商品だけでなく、商品を購入する顧客にも対応した条件とすることにより、条件の多様性が増し、さらなる顧客満足度の向上につながる。
そして、上記構成によれば、バーコードリーダーが出力する商品のバーコードに係るバーコードデータに基づいて、購入される商品、及び、商品を購入する顧客に応じて設定されるクーポンの発行の条件を満たすか否かを判別し、当該条件を満たすと判別した場合、クーポンを発行すると判別してクーポンの発行に係るデータをクーポンシステムに出力するため、より多様な条件でクーポンを発行することを可能とした上で、レシートと、クーポンとにおける内容の関連性の維持、発行タイミングに係るタイムラグの短縮化を図ることが可能となる。
【手続補正４】
【補正対象書類名】明細書
【補正対象項目名】０００８
【補正方法】変更
【補正の内容】
【０００８】
また、上記発明の制御装置であって、本発明は、前記データ監視部は、前記バーコードリーダーが前記商品に応じて出力するバーコードデータに基づいて、前記レシートに所定の広告を記録するか否かを判別し、前記レシートに当該所定の広告を記録すると判別した場合、当該所定の広告の記録に係るデータを、前記記録制御部に出力することを特徴とする。
この構成によれば、バーコードの内容に応じてレシートに広告を記録させることが可能となる。